(57)【要約】【課題】調理の応答性を悪化させることなく、被加熱物から飛び跳ねた油分等を清掃する際における作業のし易さを確保することが可能な加熱調理器を提供する。【解決手段】グリル庫の内部に形成された調理用空間Ｓ１に、被加熱物Ｔが載置される被加熱物載置部１２と、被加熱物載置部１２を下方から加熱する加熱手段９とが備えられ、被加熱物載置部１２が突出移動並びに退入移動可能に支持され、被加熱物載置部１２よりも退入方向奥側に位置するとともに、被加熱物載置部１２の出退移動に伴って被加熱物載置部１２に連なる状態で伸縮して、被加熱物載置部１２が調理用位置から突出移動すると、加熱手段９の上方を覆う平板状の遮蔽部が備えられている。【選択図】図４
2020159623.tif 000002
【特許請求の範囲】
【請求項１】
グリル庫の内部に形成された調理用空間に、被加熱物が載置される被加熱物載置部と、前記被加熱物載置部を下方から加熱する加熱手段とが備えられ、
前記被加熱物載置部が、前記加熱手段の上方に位置する調理用位置と、前記グリル庫の外部に突出する突出位置との間で、突出移動並びに退入移動可能に支持されている加熱調理器であって、
前記被加熱物載置部よりも退入方向奥側に位置するとともに、前記被加熱物載置部の出退移動に伴って前記被加熱物載置部に連なる状態で伸縮して、前記被加熱物載置部が前記調理用位置から突出移動すると、前記加熱手段の上方を覆う平板状の遮蔽部が備えられている加熱調理器。
【請求項２】
前記遮蔽部は、
複数の板体が重なり合って縮退する引退状態と、前記複数の板体の重なり代が最も少ない又は前記重なり代が無くなる伸長状態とに切り換え可能であり、且つ、前記被加熱物載置部の出退移動に伴って、前記引退状態と前記伸長状態とに亘って前記被加熱物載置部に連なる状態で前記重なり代が順次変化する請求項１に記載の加熱調理器。
【請求項３】
前記遮蔽部は、
前記複数の板体同士を多節リンク機構を介して連動連係して、前記複数の板体のうちの端部の板体が移動するのに伴って、前記多節リンク機構を介して前記複数の板体を前記重なり代が順次変化するように移動案内する請求項２に記載の加熱調理器。
【発明の詳細な説明】
【技術分野】
【０００１】
本発明は、グリル庫の内部に形成された調理用空間に、被加熱物が載置される被加熱物載置部と、前記被加熱物載置部を下方から加熱する加熱手段とが備えられ、前記被加熱物載置部が、前記加熱手段の上方に位置する調理用位置と、前記グリル庫の外部に突出する突出位置との間で、突出移動並びに退入移動可能に支持されている加熱調理器に関する。
【背景技術】
【０００２】
この種の加熱調理器において、従来では、次のように構成されたものがあった。すなわち、被加熱物（調理物）が載置される被加熱物載置部としての調理用加熱プレートとは別に、加熱手段の上方を覆うように上面が平面状に形成され且つ熱容量の大きな均熱加熱プレートが設けられ、この均熱加熱プレートの上に調理用加熱プレートが載置された状態で加熱調理が行われるように構成されたものがあった（例えば、特許文献１参照）。
【先行技術文献】
【特許文献】
【０００３】
【特許文献１】特許第５５５９４０１号公報
【発明の概要】
【発明が解決しようとする課題】
【０００４】
上記従来構成は、熱容量の大きな均熱加熱プレートを用いることで、調理用加熱プレートを均一に加熱することができ、均熱加熱プレートの上面が平面状に形成されることで、被加熱物から飛び跳ねた油分等を取り除くために清掃する作業が行い易くなっている。
【０００５】
ところで、調理用加熱プレートが調理用位置にあり、加熱調理が行われているときは、調理用加熱プレートによって均熱加熱プレートの上面が覆われるので、均熱加熱プレートが汚れるおそれは少ないが、調理後に被加熱物載置部が突出位置に引き出される際に、被加熱物から飛び跳ねた油分等が下方の均熱加熱プレートの上面に降りかかることがある。
【０００６】
また、従来構成では、加熱手段と被加熱物が載置される被加熱物載置部（調理用加熱プレート）との間に、熱容量の大きな均熱加熱プレートが介在するので、加熱手段による加熱を開始してから被加熱物載置部すなわち被加熱物が調理用の温度で加熱されるまでの間に時間がかかり、調理の応答性が悪くなるおそれがある。又、予め設定されている時間が経過して加熱手段による加熱を終了した後も、均熱加熱プレートが保有する熱によって過剰な加熱調理が行われ、被加熱物を加熱し過ぎて焦げてしまう等のおそれもある。
【０００７】
本発明の目的は、調理の応答性を悪化させることなく、被加熱物から飛び跳ねた油分等を清掃する際における作業のし易さを確保することが可能な加熱調理器を提供する点にある。
【課題を解決するための手段】
【０００８】
本発明に係る加熱調理器の特徴構成は、グリル庫の内部に形成された調理用空間に、被加熱物が載置される被加熱物載置部と、前記被加熱物載置部を下方から加熱する加熱手段とが備えられ、前記被加熱物載置部が、前記加熱手段の上方に位置する調理用位置と、前記グリル庫の外部に突出する突出位置との間で、突出移動並びに退入移動可能に支持されているものであって、前記被加熱物載置部よりも退入方向奥側に位置するとともに、前記被加熱物載置部の出退移動に伴って前記被加熱物載置部に連なる状態で伸縮して、前記被加熱物載置部が前記調理用位置から突出移動すると、前記加熱手段の上方を覆う平板状の遮蔽部が備えられている点にある。
【０００９】
本発明によれば、被加熱物載置部が調理用位置に引退しているときは、遮蔽部は被加熱物載置部よりも退入方向奥側に収納された状態となるので、加熱手段と被加熱物載置部との間には何も介在しない。その結果、加熱手段は被加熱物載置部を直接加熱するので、調理の応答性が良い。
【００１０】
加熱調理が行われているときは、被加熱物から飛び跳ねた油分等は被加熱物載置部によって受止められる。そして、加熱調理後に被加熱物載置部が突出位置に引き出される際に、被加熱物から油分等が飛び跳ねることがあっても、被加熱物載置部に連なる状態で遮蔽部が伸縮して加熱手段の上方を覆うので、油分等が加熱手段に降りかかることが回避される。
【００１１】
調理が終了したのちにグリル庫内を清掃するとき、遮蔽部の上方に付着した汚れは、被加熱物載置部を突出位置に引き出した状態で、手を差し入れて遮蔽部の上方を清掃することができる。遮蔽部は平板状に形成されているので、汚れが拭き取り易く清掃が行い易い。
【００１２】
従って、調理の応答性を悪化させることなく、被加熱物から飛び跳ねた油分等を清掃する際における作業のし易さを確保することが可能な加熱調理器を提供できるに至った。
【００１３】
本発明においては、前記遮蔽部は、複数の板体が重なり合って縮退する引退状態と、前記複数の板体の重なり代が最も少ない又は前記重なり代が無くなる伸長状態とに切り換え可能であり、且つ、前記被加熱物載置部の出退移動に伴って、前記引退状態と前記伸長状態とに亘って前記被加熱物載置部に連なる状態で前記重なり代が順次変化すると好適である。
【００１４】
本構成によれば、遮蔽部は、伸長状態では、複数の板体の重なり代が最も少ないか又は重なり代が無くなるので、遮蔽部の上面が平板状になり、清掃がし易いものにできる。このように複数の板体の重なり代を変化させることで伸縮する構成であるから、上下方向に幅狭のスペースに収納することができるものでありながら、被加熱物載置部の出退移動に伴って、被加熱物載置部よりも退入方向奥側に位置する開放箇所を良好に覆うことができる。
【００１５】
本発明においては、前記遮蔽部は、前記複数の板体同士を多節リンク機構を介して連動連係して、前記複数の板体のうちの端部の板体が移動するのに伴って、前記多節リンク機構を介して前記複数の板体を前記重なり代が順次変化するように移動案内すると好適である。
【００１６】
重なり代を順次変化させるために、例えば、複数の板体の自由移動によって順次変化するように構成するものでは、複数の板体同士の重なり代が均等にならずにバラツキが生じて、伸縮動作が不安定になるおそれがある。
【００１７】
これに対して本構成によれば、多節リンク機構を用いることで、複数の板体を複数の板体を略同じ移動量にて良好に移動案内させることにより重なり代が順次変化するものとなり、複数の板体を安定した動作で滑らかに伸縮させることができる。
【図面の簡単な説明】
【００１８】
【図１】被加熱物載置部が収納位置にあるときのグリルの縦断側面図である。
【図２】グリルの縦断正面図である。
【図３】被加熱物載置部の分解斜視図である。
【図４】被加熱物載置部が引出し途中にあるときのグリルの縦断側面図である。
【図５】被加熱物載置部が引出位置にあるときのグリルの縦断側面図である。
【図６】引退状態における遮蔽部の斜視図である。
【図７】引出し途中における遮蔽部の斜視図である。
【図８】突出状態における遮蔽部の斜視図である。
【図９】別実施形態の被加熱物載置部が収納位置にあるときのグリルの縦断側面図である。
【図１０】別実施形態の被加熱物載置部が引出位置にあるときのグリルの縦断側面図である。
【発明を実施するための形態】
【００１９】
以下、図面に基づいて、本発明に係る加熱調理器をグリルに適用した場合の実施形態を説明する。図示はしていないが、グリルは、上部にコンロ調理部を備えたコンロにおいて、コンロ調理部の下方側の内部に備えられている。このコンロは、キッチンカウンタに形成したコンロ装着口に上方から挿入して組付ける、いわゆるビルトインタイプとして構成されるものである。
【００２０】
（グリルの全体構成）
図１，２に本発明に係る加熱調理器としてのグリルＧを示している。グリルＧには、内部に調理用空間Ｓ１が形成されたグリル庫１が備えられている。グリル庫１は、左右両側の側壁部２、底部３、天井部４、後壁部５とで区画して、前部が開口した角筒状に形成されている。前部の開口が前部開口部６とされ、後壁部５には一部が開口された排気口７が形成され、排気口７に排気ダクト８が接続されている。
【００２１】
グリル庫１内部には、底部に加熱手段としての下側加熱部９が備えられ、天井部４の下面側に上側加熱部１０が備えられ、調理用空間Ａを上下両側から加熱するように構成されている。下側加熱部９及び上側加熱部１０は夫々、シーズヒータ（電熱ヒータ）により構成されている。尚、下側加熱部９及び上側加熱部１０は、シーズヒータに代えてガスバーナを用いるものでもよい。
【００２２】
グリルＧには、グリル庫１の前部開口部６を閉じるグリル扉１１と、被加熱物が載置される被加熱物載置部１２とを備え、且つ、グリル庫１に対して前後方向に沿って出退移動可能に支持される引出部１３が備えられている。
【００２３】
図３に示すように、被加熱物載置部１２は、被加熱物が載置されるとともに、平面視の形状が概略長方形状の皿状に構成されている調理容器１４と、調理容器１４の外周縁部を支持する形態に線材を曲げ加工して構成された容器支持枠１５とを備えている。図２に示すように、被加熱物載置部１２は、調理用空間Ｓ１の内部において、左右の側壁部２の間隔と略等しい幅広に設けられている。調理容器１４は、着脱可能に容器支持枠１５に載置支持されており、容易に取り外して清掃を行うことができる。
【００２４】
図２に示すように、容器支持枠１５は、グリル庫１内の左右一対の側壁部２の内面に沿って前後方向に延びる状態で設けられた左右一対の案内レール機構１６によって出退移動可能に支持されている。案内レール機構１６は、周知であるので、詳細な説明を省略するが、固定レール１６ａに、中間レール１６ｂが長手方向にスライド移動自在に支持され、さらに、可動レール１６ｃが中間レール１６ｂにその長手方向にスライド移動自在に支持されて構成されている。そして、固定レール１６ａが、グリル庫１の側壁部２の下部に連結され、可動レール１６ｃの前端部にグリル扉１１が連結されている。
【００２５】
従って、引出部１３は、案内レール機構１６の長手方向（前後方向）に沿ってスライド移動可能に支持され、被加熱物載置部１２がグリル庫１の内方に収納される調理用位置となる収納位置（図１に示す状態）と、被加熱物載置部１２がグリル庫１の外部に突出する突出位置となる引出位置（図５に示す状態）との間で、突出移動並びに退入移動可能に支持されている。図４は、引出部１３が収納位置と突出位置との間の途中位置で停止している半開き状態を示している。
【００２６】
引出部１３が収納位置に移動してグリル庫１内に収納されたときに、グリル庫１の前部開口部６がグリル扉１１により閉じられるように構成されている。又、引出部１３が収納位置にあるとき、可動レール１６ｃの上面部が案内レール機構１６の上方側を覆う構成となっており、加熱調理により発生する油分等が案内レール機構１６のスライド部分に降りかからないようにしている。
【００２７】
図示はしていないが、グリルＧによる加熱調理の状態を設定するためのグリル用設定操作部が別途備えられている。このグリル用設定操作部には、下側加熱部９及び上側加熱部１０の加熱運転の入り切りを指令する操作具、加熱量を調節する操作具、調理時間を設定する設定器等が備えられている。
【００２８】
図２に示すように、グリル庫１の底部３には、中央側が下方に入り込む凹入部１７が形成されている。凹入部１７の内部に位置する状態で、前後方向に沿って延びる左右一対のシーズヒータからなる下側加熱部９が備えられている。底部３における凹入部１７の左右両側には、案内レール機構１６の上方に位置する状態で前後方向に延びる受止め支持部１８が形成されている。容器支持枠１５は、出退移動しているとき及び収納位置にあるときに、左右両側が受止め支持部１８によって支持される。
【００２９】
調理容器１４は、引出部１３が出退移動しているとき及び収納位置にあるときに、下側加熱部９よりも上方側に位置し、上側加熱部１０よりも下方側に位置している。従って、引出部１３が収納位置にある状態では、グリル庫１の底部３に備えられた下側加熱部９が、グリル庫１内に収納された調理容器１４を下方から加熱し、グリル庫１の天井部４に設けられた上側加熱部１０が、グリル庫１内に被加熱物Ｔを載置した状態で収納された調理容器１４を上方から加熱することができる。加熱調理に伴って被加熱物Ｔから発生する水蒸気や煙等の調理排気は、排気ダクト８を通して外部に排出させることができる。
【００３０】
上述したように、容器支持枠１５は調理容器１４の外周縁部を支持するものであり、調理容器１４の下方側は大きく開放された状態となっており、下側加熱部９と調理容器１４との間には、何も介在されていない。従って、下側加熱部９による加熱を開始すると、被加熱物載置部１２が調理用の温度で加熱されるまでの所要時間をできるだけ短くすることができて、調理の応答性が良いものとなる。
【００３１】
（遮蔽部の構成）
このグリルＧでは、図１に示すように、被加熱物載置部１２よりも退入方向奥側に位置するとともに、被加熱物載置部１２の出退移動に伴って被加熱物載置部１２に連なる状態で伸縮して、被加熱物載置部１２が調理用位置としての収納位置から突出移動すると、下側加熱部９の上方を覆う平板状の遮蔽部２０が備えられている。
【００３２】
遮蔽部２０は、複数の板体２１が重なり合って縮退する引退状態と、複数の板体２１の重なり代が最も少ない伸長状態とに切り換え可能であり、且つ、被加熱物載置部１２の出退移動に伴って、引退状態と伸長状態とに亘って被加熱物載置部１２に連なる状態で重なり代が順次変化する。
【００３３】
具体的には、遮蔽部２０は、複数の板体２１同士を多節リンク機構２２を介して連動連係して、複数の板体２１のうちの端部の板体２１が移動するのに伴って、多節リンク機構２２を介して複数の板体２１を重なり代が順次変化するように移動案内するように構成されている。
【００３４】
説明を加えると、図１に示すように、遮蔽部２０は、被加熱物載置部１２よりも退入方向奥側に位置する状態で設けられている。遮蔽部２０は複数の板体２１を備えている。図６，７，８に示すように、複数の板体２１は、夫々、左右方向の幅が調理用空間Ｓ１の左右幅と略同じで且つ出退方向の幅が左右幅よりも狭い、平面視で略長方形状に形成されている。尚、図６，７，８は、構成を理解し易いように下方側から見た斜視図である。
【００３５】
遮蔽部２０の下面側に、２本のアーム２３が中間部で回動可能に連結されたＸ字状のリンク２４が連なる状態で連結された多節リンク機構２２が設けられている。多節リンク機構２２には、複数のリンク２４に加えて、各アーム２３の交差部と上下軸芯周りで回動可能に連結され、且つ、複数の板体２１に連結された複数の連動操作部材２５が備えられている。複数の板体２１のうち、前端側の板体２１ａは、前部側を下方側に向けてＬ字状に曲げてあり、遮蔽部２０の下側に多節リンク機構２２を収納するためのスペースを確保するように構成されている。
【００３６】
後端側のリンク２４ａ、及び、前端側のリンク２４ｂは、２本のアーム２３にて構成されている。後端側のリンク２４ａの後端側の２本のアーム２３の交差部は、連結ピン２６を介して、グリル庫１の後部側の支持枠２７に回動可能に連結されている。又、後端側の板体２１ｂは、支持枠２７に位置固定状態で連結されている。
【００３７】
後端側のリンク２４ａ以外の他のリンク２４の交差部には、夫々、連動操作部材２５の左右中央位置が連結ピン２８を介して回動可能に連結されている。連動操作部材２５は、後端側の板体２１ｂ以外の他の板体２１の夫々に対応して複数設けられている。各連動操作部材２５は、平面視で略Ｕ字形に形成された板状体からなり、前端側が最も大きく且つ後端側が最も小さくなるように、順次、大きさが異なる形状に構成されている。各連動操作部材２５は、左右方向両側部が上方に折り曲げ形成され、その曲がり部が対応する板体２１の後側端縁に一体的に連結されている。ところで、複数の連動操作部材２７及び多節リンク機構２２は、上下方向の位置が同じに設けられるが、後述するように、複数の板体２１は前後方向に互いに重なり合っているので、連動操作部材２７に形成される曲がり部の上下方向の長さは、後側ほど順次長くなっている。
【００３８】
図４，６，７，８に示すように、前端側の板体２１ａには、左右一対の係止ピン２９が上向きに突出する状態で一体的に設けられている。この係止ピン２９に対して、容器支持枠１５の後端部に設けられた左右一対の係止部材３０の係止孔３０ａを上方から嵌め込み係合させている。このように係止ピン２９と係止部材３０とを係合させることにより、前端側の板体２１ａと容器支持枠１５とが前後方向に連動連係されている。
【００３９】
複数の板体２１は、前後方向に沿って互いに重なり合う状態で設けられている。そして、引出部１３が収納位置に位置している状態では、図１に示すように、被加熱物載置部１２（容器支持枠１５及び調理容器１４）は、グリル庫１の内部に引き込まれており、下側加熱部９の上方側に位置し且つ上側加熱部１０の下方側に位置する調理用位置に位置している。このとき、遮蔽部２０は、グリル庫１内において、被加熱物載置部１２よりも退入方向奥側に設けられた格納用空間Ｓ２に格納されている。
【００４０】
格納用空間Ｓ２と調理用空間Ｓ１との間には、仕切り部３１が備えられ、引出部１３が収納位置に位置して、被加熱物の加熱調理が行われているときに、被加熱物Ｔからの油分等が格納している遮蔽部２０に飛散しないようにしている。但し、仕切り部３１の下部には、遮蔽部２０が通過するためのスリットが形成されている。
【００４１】
図６に示すように、遮蔽部２０は、格納用空間Ｓ２に格納されているときは、複数の板体２１の重なり代が最も大となり前後方向の幅が狭くなる状態で格納される。そのとき、隣接する連動操作部材２５同士が、略Ｕ字形の凹入部２５ａに嵌り合うことで近接する状態となる。このように構成することで、前後方向にできるだけコンパクトに格納することができる。尚、格納用空間Ｓ２に格納されているときは、前端側の板体２１ａが一番上にあり、後端側の板体２１ｂが一番下にある。
【００４２】
引出部１３が、収納位置から引出位置に向けて突出移動されると、その移動に伴って、図７に示すように、容器支持枠１５と連係されている前端側の板体２１ａが連なる状態で移動する。多節リンク機構２２の後端部は支持枠２７に連結されているから、引出部１３の移動に伴って多節リンク機構２２が徐々に伸長する。
【００４３】
多節リンク機構２２が伸長すると、各リンク２４は略均等な間隔を保ちながら徐々に間隔を広げるように移動する。そして、後端側の板体２１ｂは支持枠２７に位置固定状態で連結されているから、多節リンク機構２２の伸長に伴って、連動操作部材２５を介して複数の板体２１も同様に重なり代を小さくするように移動して、遮蔽部２０の前後方向の幅が広がっていく（図７，８参照）。
【００４４】
多節リンク機構２２と各連動操作部材２５とは左右方向の中央位置にて連結されるが、連動操作部材２５と板体２１とは左右方向に離間した２箇所にて連結されるので、多節リンク機構２２の伸長に伴って、各板体２１は左右２箇所において操作されるので、ガタツキなく安定した状態で移動させることができる。
【００４５】
複数の板体２１は、左右方向の幅が調理用空間Ｓ１の左右幅と略同じであるから、引出部１３が引出位置にまで引き出されると、グリル庫１における調理用空間Ｓ１の底部３は略全域にわたり、遮蔽部２０によって覆われることになる。遮蔽部２０は、伸長移動しているとき及び引出位置にあるときに、左右両側が受止め支持部１８によって支持される。
【００４６】
引出部１３の引出し途中であっても、前端側の板体２１ａと容器支持枠１５とは一体的に移動するので、前端側の板体２１ａと容器支持枠１５との間、すなわち、遮蔽部２０と被加熱物載置部１２との間が開放されることはない。その結果、引出部１３の引出し操作の途中で、被加熱物載置部１２よりも退入方向奥側の領域を通して、被加熱物Ｔから飛び跳ねた油分等がグリル庫１の底面に飛散することを防止できる。
【００４７】
〔別実施形態〕
（１）上記実施形態では、遮蔽部２０が、複数の板体２１同士を多節リンク機構２２を介して連動連係する構成としたが、この構成に代えて、重なり合う複数の板体２１のうち、上側の板体が前後方向にスライドすると、下側の板体に係止して連動してスライドさせる構成とし、順次、板体をスライドさせて伸長させるような構成としてもよい。この場合、収納位置に移動するときは、被加熱物載置部１２が板体を押し移動させて格納させることができる。又、このような構成以外にも、種々の構成を用いることができる。
【００４８】
（２）上記実施形態では、遮蔽部２０が、複数の板体２１を備えて、それらが重なり合って縮退する引退状態と、重なり代が最も少ない又は重なり代が無くなる伸長状態とに切り換え可能な構成としたが、この構成に代えて、次のように構成してもよい。
【００４９】
例えば、図９，１０に示すように、遮蔽部２０が、被加熱物載置部１２よりも退入方向奥側に収納される状態で、巻き取り操作並びに引出し操作可能なロール式の遮蔽部材４０を用いる構成としてもよい。この場合、遮蔽部材４０を弾性的に巻付き状態になるように付勢される構成として、引出部１３の引出し操作に伴って、遮蔽部材４０の一端が連なる状態で引き出され、収納操作に伴って、元の巻回状態に戻るように構成してもよく、又、遮蔽部材４０を手動操作により巻き取るようにしてもよい。
【００５０】
（３）上記実施形態では、遮蔽部２０が、伸長状態において、複数の板体２１の重なり代が最も少ない状態となるようにしたが、この構成に代えて、伸長状態において、複数の板体の重なり代が無くなるような構成としてもよい。この場合、引退状態に切り換わるときに、各板体が重なるように案内する案内部を備えるようにするとよい。
【００５１】
（４）上記実施形態では、下側加熱部９をシーズヒータにより構成したが、この構成に代えて、下側加熱部９をガスバーナにて構成してもよい。
【００５２】
（５）上記実施形態では、上側加熱部１０をシーズヒータにより構成したが、この構成に代えて、上側加熱部１０をガスバーナにて構成してもよい。
【産業上の利用可能性】
【００５３】
本発明は、グリル庫内の底部に加熱手段を備えた加熱調理器に適用できる。
【符号の説明】
【００５４】
１      グリル庫
９      加熱手段
１２    被加熱物載置部
２０    遮蔽部
２１    板体
２２    多節リンク機構
Ｓ１    調理用空間
【図１】
2020159623.tif 000003
【図２】
2020159623.tif 000004
【図３】
2020159623.tif 000005
【図４】
2020159623.tif 000006
【図５】
2020159623.tif 000007
【図６】
2020159623.tif 000008
【図７】
2020159623.tif 000009
【図８】
2020159623.tif 000010
【図９】
2020159623.tif 000011
【図１０】
2020159623.tif 000012